(57)【要約】      （修正有）【課題】足先が腫れたりむくんでいたりしていても簡便且つ迅速に履いたり脱いだりすることができ、履用中に砂などの異物が靴の中に進入し難く、外観デザインの多様性に優れた介護用の靴を提供する。【解決手段】靴１のつま先部５の略中央に甲被３が縫合されていない間隙部６を設け、甲被３を間隙部６から履き口４に亘って内側甲被と外側甲被３２に分離することでつま先部５側の甲被３を拡幅自在とするとともに、甲被３の下側に、柔らかく伸縮性を備えた薄布により略三角形乃至扇形に形成された舌革７を縫合して、内外甲被３２等の間の隙間を舌革７で閉鎖する。【選択図】図１
0003176164.tif 000002
【実用新案登録請求の範囲】
【請求項１】
履き口（４）に面して左右に分断した内側甲被（３１）と外側甲被（３２）を接続手段（８）で接続し、内外甲被（３１、３２）を閉じて足に装着できるように構成された介護用の靴（１）において、
靴（１）のつま先部（５）の略中央に前記内外甲被（３１、３２）が適宜な幅だけ縫合されていない間隙部（６）が設けられ、この間隙部（６）の両側から履き口（４）に亘って内側甲被（３１）と外側甲被（３２）が互いに分断し且つ両甲被（３１、３２）間を拡幅可能に設けられているとともに、
柔らかく伸縮性を備えた薄布により略三角形乃至扇形に形成された舌革（７）が前記内外甲被（３１、３２）の下側に配置され、この舌革（７）の頂部が前記間隙部に面したつま先部（５）及び内外甲被（３１、３２）の裏面に縫合されて前記間隙部（６）を塞ぎ、前記頂部を挟む舌革（７）の両側辺が内外甲被（３１、３２）の裏面縁部に沿ってそれぞれ縫合された構成を有することを特徴とする介護用の靴。
【請求項２】
内側甲被（３１）と外側甲被（３１）を接続する接続手段は、内側甲被（３１）の側部に設けられた掛止リング（８１）に、先端部裏面に面状ファスナー（９１）が固着された長さ調節機能付きの帯状の止着片（８）を回転自在に取り付けるとともに、外側甲被（３２）の表面に面状ファスナー（９２）を固着し、靴（１）を脱いだときに止着片（８）は掛止リング（８１）を軸に内側甲被（３１）の外側に倒れて内外甲被（３１、３２）間を広く開放し、靴（１）を履くときには掛止リング（８１）を軸に止着片（８）を外側甲被（３２）の側へ回転させることにより、止着片（８）を外側甲被（３２）表面の面状ファスナー（９２）に定着させることにより内側甲被（３１）と外側甲被（３２）が接続するように構成された請求項１に記載の介護用靴。
【請求項３】
内側甲被（３１）と外側甲被（３２）を接続する接続手段として靴紐（１０）を用いた請求項１に記載の介護用の靴。
【考案の詳細な説明】
【技術分野】
【０００１】
本考案は、車椅子利用者や、足先に腫れやむくみが生じていて普段使用している靴を履けない者などが着用するのに好適な介護用の靴に関する。
【背景技術】
【０００２】
下肢が麻痺した障害者や足先が怪我などで腫れている者でも簡便に履いたり脱いだりできるようにした介護用の靴として、例えば図１０に示されるように、靴１００の甲部１０１に履き口１０２からつま先部１０３にかけて左右に分断したスリット部１０４を形成して甲部１０１を左右に拡幅可能とし、スリット部１０４を押し開いて大きく拡がった履き口１０２から足を入れ、スリット部１０４の両側に架け渡された帯状の面状ファスナー１０５でスリット部１０４を閉鎖することで靴１００を足に装着して履けるようにした構成のものが知られている（例えば特許文献１参照）。
【先行技術文献】
【特許文献】
【０００３】
【特許文献１】特開２００２−２６２９０６号公報
【考案の概要】
【考案が解決しようとする課題】
【０００４】
図示した従来の介護用の靴１００は、履き口１０２を拡げて靴１００を履いたり脱いだりすることができ、足の甲や足首が腫れているような場合でも着用することが可能である。しかし、スリット部１０４を押し開くことで拡がるのは甲部１０１から履き口１０２に至る部分であり、靴１００のつま先部１０３の幅を拡げることはできないため、つま先などの足先が腫れたりむくんだりしている者は使用することができない。
【０００５】
また、足に靴１００を着用した際に、スリット部１０４が面状ファスナー１０５により閉鎖されるものの、スリット部１０４は完全には閉鎖されずにその隙間が甲部１０１に露出し、隙間から砂やゴミなどの異物が靴１００の中に入りこみ易いという問題がある。
さらに、靴１００はその外観が介護用やリハビリ用のものであることが明白でありデザイン性に乏しい。介護用やリハビリ用の靴を利用せざるを得ない者にとっては、その者が使用可能な靴のデザインが制限され、いわゆる健常者が履く多様なデザインの靴を履けないことが不満であり、また、車椅子利用者の多くは、車椅子に乗って外出する際に靴を履いた足が車椅子の足置きに置かれて周囲の者に目に付くことから、例え靴を履いて歩行しなくとも周りの者に障害者であることを意識させない、外観の見栄えの良い靴を履きたいと願っているのが実情である。
【０００６】
片足が怪我で腫れていたり下肢のむくみの状態が左右の足で違っていたりするような場合、腫れやむくみの大きい方の足に合った介護用やリハビリ用の靴を着用したのでは、腫れやむくみの小さい方の足に靴の大きさが合わないため却って利用し難くなり、また、左右の足に合うようにサイズの異なる靴を購入したり片方のサイズを大きめにした特注の靴を購入したのでは利用者かかる負担が大きくならざるを得ず、腫れやむくみの状態が左右の足で違っていても、一つの靴でそれぞれに応じたつま先の幅や高さに調整して着用できることが好ましい。とりわけ、足の腫れやむくみの状態は一定ではなく、腫れやむくみの原因やその人の体調、気温等の生活環境等によって大きく変ることから、日々異なる腫れやむくみの状態に合わせて、つま先の幅や高さに簡単に調整して着用できることが好ましい。
【０００７】
本考案は従来の技術の有するこのような問題点に鑑み、その目的とするところは、下肢が麻痺していたり足先が腫れたりむくんだりしていても簡便且つ迅速に履いたり脱いだりすることができ、履用中に砂などの異物が靴の中に進入し難く、外観デザインの多様性に優れた介護用の靴を構成することにある。
【課題を解決するための手段】
【０００８】
前記課題を解決するため本考案は、履き口に面して左右に分断した内側甲被と外側甲被を接続手段で接続し、内外甲被を閉じて足に装着できるように構成された介護用の靴において、靴のつま先部の略中央に前記内外甲被が適宜な幅だけ縫合されていない間隙部が設けられ、この間隙部の両側から履き口に亘って内側甲被と外側甲被が互いに分断し且つ両甲被間を拡幅可能に設けられているとともに、柔らかく伸縮性を備えた薄布により略三角形乃至扇形に形成された舌革が前記内外甲被の下側に配置され、この舌革の頂部が前記間隙部に面したつま先部及び内外甲被の裏面に縫合されて前記間隙部を塞ぎ、前記頂部を挟む舌革の両側辺が内外甲被の裏面縁部に沿ってそれぞれ縫合された構成を有することを特徴とする。
【０００９】
本考案の介護用の靴によれば、甲被が内側甲被と外側甲被に分断して設けられており、足に装着する際に両甲被を接続する接続手段を操作して、両甲被間の幅を適宜に調整することで、足のつま先から足首に至る靴の甲の部分の幅を拡げたり狭めたりし、或いは甲の部分の高さを変えたりすることができる。
ここで、靴のつま先側においても、内側甲被と外側甲被は、つま先部の略中央部に設けた間隙部を挟んで分断しており、つま先部分の甲被の幅を拡幅できるように設けてあるので、足先が腫れたりむくんだりしている者でも、つま先部側で内外甲被間の幅を大きく拡げて履くことが可能である。
このように本考案の介護用の靴は、靴を履く者の足の甲の幅や高さに応じて、或いは足先が腫れたりむくんだりしているときはその状態に応じて、靴のつま先部から履き口に至る内外甲被間の幅を調整することで、靴の甲被の寸法及び形状を、その者の足に合わせた幅や高さ、形状に調整することができ、良好な着用感及び履き心地を得ることができる。
【００１０】
また、本考案の介護用の靴は、内側と外側に分断された甲被の下側に舌革を配置し、この舌革の周辺をつま先部の間隙部から内外甲被の縁部に沿って縫合して、内外甲被間の隙間全体を舌革で覆っているので、履用中に前記隙間から砂利などが靴の中に入り込むことはない。
舌革は、柔らかく伸縮性を備えた薄布により略三角形乃至扇形に形成されているので、内外甲被間の幅を拡げたときでもそれに応じて拡がり、甲被間の隙間全体を確実に閉鎖することができる。また、舌革は柔らかく伸縮性があるので、足のつま先や甲が腫れたりむくんだりしている状態で靴を履いたときでも、柔らかな舌革が包み込むようにして足に接触して足が痛くなるようなことはない。内外甲被の幅を拡げないで靴を履く場合、舌革の中央部分は余剰部となって靴の内部に内折れするが、舌革が薄い布により形成されているので内折れした状態でも極めて薄く、靴を履いたときの足の表面に内折れした舌革の押圧力がかかるようなこともない。
舌革は、柔らかく伸縮性のある生地、例えばスエードやベロアなどの皮革や合成皮革、合成樹脂布、或いはこれらと質感が類似した素材のものを用いることが好ましい。
【００１１】
前記構成の介護用の靴において、内側甲被と外側甲被を接続する接続手段は、内側甲被の側部に設けられた掛止リングに、先端部裏面に面状ファスナーが固着された長さ調節機能付きの帯状の止着片を回転自在に取り付けるとともに、外側甲被の表面に面状ファスナーを固着し、靴を脱いだときは止着片は掛止リングを軸に内側甲被の外側に倒れて内外甲被間を広く開放し、靴を履くときには掛止リングを軸に止着片を外側甲被の側へ回転させることにより、止着片を外側甲被表面の面状ファスナーに定着させることにより内側甲被と外側甲被が接続するように構成することが好ましい。
これによれば、前記止着片がその長さを調節する機能を備えているので、内側甲被と外側甲被の間隔を拡げたときはそれに応じて止着片をその長さが長くなるように調節することで、内外甲被上に架け渡した止着片の先端部を外側甲被表面の面状ファスナーに確実に定着させることができる。靴を脱いだときには、止着片が掛止リングを軸に回転して内側甲被の外側に倒れるので、止着片が外側甲被表面の面状ファスナーに結合することはなく、再び靴を履く際に足を履き口にスムーズに入れることができる。
なお、前記面状ファスナーにより定着される止着片に代えて、内側甲被と外側甲被を接続する手段として靴紐を用いてもよい。
本考案の介護用の靴は、内側と外側に分断した甲被を閉じ合わせる手段として面状ファスナーや靴紐を用い、一見して介護用やリハビリ用の靴には見えない、通常の靴と同様な様々な外観デザインの靴として構成することが可能である。また、腫れやむくみの状態が左右の足で違っていても、左右の足のつま先の状態に応じた幅に簡単に調整して着用することが可能であり、特注の靴やサイズの異なる靴の購入は不要となる。
【図面の簡単な説明】
【００１２】
【図１】本考案の一実施形態の介護用の靴の外側甲被側の外観図である。
【図２】図１の靴の内側甲被側の外観図である。
【図３】図１の靴のつま先側の外観図である。
【図４】甲被の下側に取り付けられる舌革の外観図である。
【図５】図１の靴の内外甲被間を拡げた状態のつま先側の外観図である。
【図６】本考案の他の実施形態の介護用の靴の外側甲被側の外観図である。
【図７】図６の靴のつま先側の拡大外観図である。
【図８】図６の靴の内外甲被間を拡げた状態の側面図である。
【図９】図６の靴の内外甲被間を拡げた状態のつま先側の上面図である。
【図１０】従来の介護用の靴を履いた状態の概略外観図である。
【考案を実施するための形態】
【００１３】
本考案の好適な一実施形態を、図面を参照して説明する。
図１及び図２は本考案の介護用の靴の一実施形態の外観を示しており、この靴１は、発泡樹脂により成形された軽量な靴底２の上面に、靴底２に載せた足を包囲する合成樹脂製の甲被３が一体に取り付けられ、履き口４に面して左右に分断した甲被３の内側甲被３１と外側甲被３２を、両甲被３１、３２上に三本の止着片８を架け渡して閉じて合わせることで足に装着し、止着片８の長さを長く設定して内外甲被３１、３２間の幅を拡げることで、足先が腫れたりむくんでいたりしていても履くことができるように構成されている。
【００１４】
詳しくは、図３に示されるように、靴１のつま先部５には、その略中央に幅Ｄだけ甲被３が縫合されていない間隙部６が設けられており、内側甲被３１と外側甲被３２のつま先部側の端部を間隙部６の両側に縫合して、当該間隙部６の両側から履き口４に至る部分の甲被３を内側甲被３１と外側甲被３２とに分断することにより、内外甲被３１、３２の間隔を拡げることで、つま先部５における甲被３の幅を拡げることができるように設けてある。
【００１５】
甲被３の下側には、柔らかく伸縮性を備えた薄布により、図４に示される如く略三角形乃至扇形に形成された舌革７が設けてある。
この舌革７は、その頂部７１が前記間隙部６に面したつま先部５及び内外甲被３１、３２の裏面に縫合され、且つ頂部７１を挟む両側辺７２、７２が内外甲被３１、３２の縁部に沿った裏面にそれぞれ縫合されて、前記間隙部６を挟んで対向する内外甲被３１、３２の間の隙間が舌革７で閉塞されるように設けてある。
舌革３は略三角形乃至扇形に形成されているため、内外甲被３１、３２間の幅を狭めた状態では、その中央部分が余剰部となり、当該余剰部は内折れした状態で甲被３の下側に収納され、一方、内外甲被３１、３２間の幅を拡げた状態では、内外甲被３１、３２に追随して左右に伸張して拡がることで、甲被３を拡幅した状態でも内外甲被３１、３２間の隙間を閉鎖するように設けてある。
【００１６】
また、内側甲被３１と外側甲被３２に架け渡された三本の止着片８は、その先端部裏面に面状ファスナー９１が固着され、その元端部は、内側甲被３１の側部に設けた掛止リング８１に回転自在に取り付けられているとともに、当該元端部に設けたスライダリング８２をスライドさせることで、止着片８全体の長さを調節できるように設けてある。
止着片８は、図５に示されるように、靴１を脱いだときは掛止リング８１を軸に内側甲被３１の外側に倒すことで内外甲被３１、３２間を広く開放した状態となり、その状態から靴１を履くときには、履き口４から内外甲被３１、３２の下側に足を差し入れるとともに、掛止リング８１を軸に止着片８を外側甲被３２の側へ回転させ、その先端部裏面に固着した面状ファスナー９１を外側甲被３２の表面に固着された面状ファスナー９２に定着させることにより内側甲被３１と外側甲被３２を接続して、足に靴１を装着できるようになっている。
【００１７】
このように構成された本形態の介護用の靴１によれば、内外甲被３１、３２上に架け渡される止着片８の長さを調整することで、甲被３の幅を拡げたり狭めたりして、靴１を履く者の足の高さや幅、状態に応じた甲被３の幅や高さに調整することが可能である。
ここで、靴１のつま先側の内外甲被３１、３２の端部が、つま先部５の略中央に設けた間隙部６の両側に縫合されて、つま先部５における甲被３の幅を拡げることができるように設けてあるので、つま先部５側で内外甲被３１、３２間の幅を拡げることで、足先が腫れたりむくんだりしている者でも履くことができる。
また、内外甲被３１、３２の裏面に略三角形乃至扇形の舌革７の周縁を縫合してあるので、図５に示されるように、内外甲被３１、３２間の幅を拡げた状態でも両甲被３１、３２間の隙間全体が舌革７で覆われて閉鎖され、履用中に前記隙間から砂利などの異物が靴１の中に入り込むことはない。また、舌革７は柔らかく伸縮性を備えた薄布により形成されているので、足のつま先や甲が腫れたりむくんだりしている状態で靴を履いたときでも、柔らかな舌革７が包み込むようにして足に接触し、足が痛くなるようなことはない。
【００１８】
図６〜図９は本考案の介護用の靴の他の実施形態を示しており、この靴１は、内外甲被３１、３２を接続する手段として、前記止着片８に代えて靴紐１０を用い、内外甲被３１、３１の縁部に設けた紐留め金具１１に通した靴紐１０を閉め、両甲被３１、３２を閉じて合わせることで靴１を足に装着し、靴紐１０を緩めて内外甲被３１、３２間の幅を拡げることで、足先が腫れたりむくんでいたりしていても履くことができるように構成したものである。また、外側甲被３２に履き口４から靴底２側に向かって伸びたファスナー付きの開閉口１２を設け、ファスナーを操作して開閉口１２を開け、履き口４が拡がることで、靴１を足に着脱する操作を用意に行えるようにしたものである。
【００１９】
このように構成された本形態の介護用の靴１によれば、内外甲被３１、３２に通した靴紐１０の両甲被３１、３２間の長さを調整することで、内外甲被３１、３２間の幅を拡げたり狭めたりして、靴１を履く者の足の高さや幅、状態に応じた甲被３の幅や高さに調整することが可能である。
前記形態と同様に、靴１のつま先側の内外甲被３１、３２の端部がつま先部５の略中央に設けた間隙部６の両側に縫合されて、つま先部５における甲被３の幅を拡げることができるように設けてあるので、図８及び図９に示されるように、つま先部５側の靴紐１０を緩めて内外甲被３１、３２間の幅を拡げることで、足先が腫れたりむくんだりしている者でも履くことができる。また、内外甲被３１、３２の裏面に略三角形乃至扇形の舌革７を縫合してあるので、甲被３１、３２間の幅を拡げた状態に隙間全体が舌革７で覆われて閉鎖され、履用中に異物が靴１の中に入り込むこともない。
【００２０】
なお、各図に示した靴１の形態は一例であり、本考案はこれらに限定されるものではない。図示した各形態の任意の組み合わせもまた本考案の実施の形態として有用である。
【符号の説明】
【００２１】
１  靴、２  靴底、３  甲被、３１  内側甲被、３２  外側甲被、４  履き口、５  つま先部、６  間隙部、７  舌革、７１  頂部、７２  側辺部、８  止着片、８１  掛止リング、８２  スライダリング、９１，９２  面状ファスナー、１０  靴紐、１１  紐留め金具、１２  ファスナー付き開閉口
【図１】
0003176164.tif 000003
【図２】
0003176164.tif 000004
【図３】
0003176164.tif 000005
【図４】
0003176164.tif 000006
【図５】
0003176164.tif 000007
【図６】
0003176164.tif 000008
【図７】
0003176164.tif 000009
【図８】
0003176164.tif 000010
【図９】
0003176164.tif 000011
【図１０】
0003176164.tif 000012